(57)【要約】【課題】シャッター部の表面が平坦であるため、精細な模様や文字を容易に表現でき、シャッター部を降下し、建物の出入口を閉鎖したときに、宣伝広告機能の高いシャッター装置を提供する。【解決手段】本発明のシャッター装置は、シャッター部と、吊り下げ部と、収容部とを備える。シャッター部は、建物の出入口を開放し、または閉鎖する。吊り下げ部は、出入口の両側上部にあってシャッター部を吊り下げる側面視Ｃ文字状またはＪ文字状の部材を有する。収容部は、側面視Ｃ文字状またはＪ文字状の部材の後方にあってシャッター部を建物内に収容する。シャッター部は、上側パネルと下側パネルとからなり、上側パネルは、上部に、吊り下げ部により軸支する水平軸を有し、一方のパネルは、他方のパネルを摺動自在に嵌合する箱形状である。【選択図】図１
2013064259.tif 000002
【特許請求の範囲】
【請求項１】
建物の出入口を開放し、または閉鎖するシャッター部と、
前記出入口の両側上部にあってシャッター部を吊り下げる側面視Ｃ文字状またはＪ文字状の部材を有する吊り下げ部と、
前記側面視Ｃ文字状またはＪ文字状の部材の後方にあって前記シャッター部を建物内に収容する収容部と
を備えるシャッター装置であって、
前記シャッター部は、上側パネルと下側パネルとからなり、
上側パネルは、上部に、前記吊り下げ部により軸支する水平軸を有し、
一方のパネルは、他方のパネルを摺動自在に嵌合する箱形状であり、
建物の出入口を開放するときは、
下側パネルを引き上げることにより、他方のパネルを一方のパネルの内部に収容する工程と、
シャッター部をさらに引き上げる工程と、
シャッター部を建物内の後方に向かって移動することにより、シャッター部を収容部に収容する工程と
を備える方法により操作し、
建物の出入口を閉鎖するときは、
シャッター部を収容部の前方に移動する工程と、
シャッター部を収容部の前方から降下しながら、側面視Ｃ文字状またはＪ文字状の部材にシャッター部を吊り下げる工程と、
下側パネルを降下しながら、建物の出入口の両側に形成した案内溝であって、下側パネルを上下方向に案内する案内溝内に下側パネルの両側縁部を挿嵌する工程と、
下側パネルを接地する工程と
を備える方法により操作し、
下側パネルの接地時に一方のパネルの内部に他方のパネルの一部が嵌合することにより下側パネルで上側パネルの水平方向の動きを抑止するシャッター装置。
【請求項２】
出入口の閉鎖時に、前記上側パネルの上部が建物の後方に移動しないように停止させる停止具を備える請求項１に記載のシャッター装置。
【請求項３】
シャッター部を収容部の前方から降下しながら、側面視Ｃ文字状またはＪ文字状の部材にシャッター部を吊り下げる前記工程において、シャッター部の下部が当接する位置であって、建物の出入口の両側に緩衝具を備える請求項１または２に記載のシャッター装置。
【請求項４】
前記シャッター部は、扉を有する請求項１〜３のいずれかに記載のシャッター装置。
【請求項５】
前記シャッター部は、窓を有する請求項１〜４のいずれかに記載のシャッター装置。
【請求項６】
建物の出入口上で前記シャッター部が庇となるように、側面視Ｃ文字状またはＪ文字状の部材によりシャッター部の水平軸を保持し、出入口の両側または片側に備える支持棒によりシャッター部を下から支持する請求項１〜５のいずれかに記載のシャッター装置。
【請求項７】
前記収容部は、シャッター部を移動するための複数の台車を備える請求項１〜６のいずれかに記載のシャッター装置。
【請求項８】
前記下側パネルは、線状体を有し、
前記収容部は、輪状にした幅広のベルトを前記台車上に配置し、前記線状体と同じ速度で移動するベルトによりシャッター部を移動するベルトコンベアを有し、
建物の出入口を開放するときは、
前記線状体で下側パネルを引き上げることにより、他方のパネルを一方のパネルの内部に収容する工程と、
前記線状体でシャッター部をさらに引き上げることにより、シャッター部を前記ベルトコンベアのベルト上に移動する工程と、
ベルト上のシャッター部を建物内の後方に向かって移動することにより、シャッター部を収容部に収容する工程と
を備える方法により操作し、
建物の出入口を閉鎖するときは、
ベルトコンベア上のシャッター部を収容部の前方に移動する工程と、
ベルトと線状体とを移動することにより、収容部の前方からシャッター部を降下しながら、側面視Ｃ文字状またはＪ文字状の部材にシャッター部を吊り下げる工程と、
前記線状体で支持する下側パネルを降下しながら、下側パネルの両側縁部を建物の出入口の両側にある前記案内溝内に挿嵌する工程と、
下側パネルが接地する工程と
を備える方法により操作する請求項７に記載のシャッター装置。
【請求項９】
前記ベルトコンベアは、前記吊り下げ部における側面視Ｃ文字状またはＪ文字状の部材に隣接する台車と、該台車上でベルトが斜め後方に走行するように、前記台車に隣接して補助台車を備える請求項８に記載のシャッター装置。
【発明の詳細な説明】
【技術分野】
【０００１】
本発明は、シャッター部の表面に精細な模様や文字を容易に表現できるシャッター装置に関する。
【背景技術】
【０００２】
建物の出入口を開放し、または閉鎖するために、従来よりシャッター装置が設置され、防犯や防火に役立っている。図３は、従来のシャッター装置の正面図である（特許文献１参照）。図３に示すように、従来のシャッター装置３０は、シャッター部３１と、シャッター部３１の上方向に、シャッター部３１を巻き取って収容する収容部３２とを備える。シャッター部３１は、横長矩形状の鉄製のパネル３１ａが上下方向に複数組み合わされ、パネル３１ａ同士は屈曲自在に係合しているため、収容部３２での巻き取りを容易にしている。
【０００３】
シャッター部３１の両側の側縁部は、建物の出入口の両側に形成した案内溝３３に挿入することにより、シャッター部３１を降下し、出入口を閉鎖したとき、シャッター部３１の水平方向の動きを抑止する。また、シャッター部３１の側縁部は案内溝３３内を自在に摺動するため、シャッター部３１の巻き取り、巻き出しを容易化する。シャッター部３１の最下段には座板３１ｂを付設しているため、出入口を閉鎖するときには、座板３１ｂを使ってシャッター部３１を地面にまで引き降ろすことができる。また、出入口を開放するときには、座板３１ｂを使ってシャッター部３１を引き上げることができ、座板３１ｂが収容部３２の入口に当接することにより、シャッター部３１の巻き取りを停止することができる。
【０００４】
収容部３２は、両端に配置する軸受部３２ｂと、軸受部３２ｂ間に軸着するシャフト部３２ｃと、シャフト部３２ｃに配設する巻始め車３２ａとを備える。シャッター部３１を手動で引き上げると、巻始め車３２ａが回転し、シャッター部３１を巻き取って、収容部３２内に収容する。建物の出入口が大きいときは、シャッター部３１の移動を容易にするため、巻始め車３２ａを電動で回転する。また、シャフト部３２ｃは、巻始め車３２ａを所定の方向に付勢するスプリング部３２ｄを周設しているため、シャッター部３１を容易に移動することができる。
【先行技術文献】
【特許文献】
【０００５】
【特許文献１】特開平９−１８４３７０号公報
【発明の概要】
【発明が解決しようとする課題】
【０００６】
図３に示すような従来のシャッター装置３０においては、シャッター部３１を巻き取ることにより収容するため、シャッター部３１が、多数の横長矩形状のパネル３１ａを係合することにより形成されている。したがって、シャッター部３１を降ろし、建物の出入口を閉鎖したときに、シャッター部３１の表面には多数の凹凸があるため、シャッター部の表面に、宣伝広告用の精細な模様や文字の塗装や印刷ができない。
【０００７】
また、多数の横長矩形状のパネル３１ａを係合して形成するシャッター部３１は、構造が複雑であるため、所定の強度を有するシャッター装置を設計しようとすると、シャッター部３１の重量が大きくなるため、シャッター部の操作性が低下し、シャッター部の横幅を広く設計できない。
【０００８】
本発明の課題は、シャッター部の表面が平坦であるため、精細な模様や文字を容易に表現でき、シャッター部を降下し、建物の出入口を閉鎖したときに、宣伝広告機能の高いシャッター装置を提供することにある。また、シャッター部の構造が簡単で、強度が高く、軽量化が容易なシャッター装置を提供することを課題とする。
【課題を解決するための手段】
【０００９】
本発明のシャッター装置は、シャッター部と、吊り下げ部と、収容部とを備える。シャッター部は、建物の出入口を開放し、または閉鎖する。吊り下げ部は、出入口の両側上部にあってシャッター部を吊り下げる側面視Ｃ文字状またはＪ文字状の部材を有する。収容部は、側面視Ｃ文字状またはＪ文字状の部材の後方にあってシャッター部を建物内に収容する。シャッター部は、上側パネルと下側パネルとからなり、上側パネルは、上部に、吊り下げ部により軸支する水平軸を有し、一方のパネルは、他方のパネルを摺動自在に嵌合する箱形状である。
【００１０】
建物の出入口を開放するときは、下側パネルを引き上げることにより、他方のパネルを一方のパネルの内部に収容する。つぎに、シャッター部をさらに引き上げた後、シャッター部を建物内の後方に向かって移動することにより、シャッター部を収容部に収容する。また、建物の出入口を閉鎖するときは、シャッター部を収容部の前方に移動する。つぎに、シャッター部を収容部の前方から降下しながら、側面視Ｃ文字状またはＪ文字状の部材にシャッター部を吊り下げる。その後、下側パネルを降下しながら、建物の出入口の両側に形成した案内溝であって、下側パネルを上下方向に案内する案内溝内に下側パネルの両側縁部を挿嵌し、下側パネルを接地する。下側パネルの接地時に、一方のパネルの内部に他方のパネルの一部が嵌合することにより下側パネルで上側パネルの水平方向の動きを抑止する。
【００１１】
出入口の閉鎖時に上側パネルの上部が建物の後方に移動しないように停止させる停止具を備える態様が好ましい。また、シャッター部を収容部の前方から降下しながら、側面視Ｃ文字状またはＪ文字状の部材にシャッター部を吊り下げる工程において、シャッター部の下部が当接する位置であって、建物の出入口の両側に緩衝具を備える態様が好適である。シャッター部には、扉を設けることができる。また、シャッター部には、窓を設けることもできる。さらに、建物の出入口上でシャッター部が庇となるように、側面視Ｃ文字状またはＪ文字状の部材によりシャッター部の水平軸を保持し、出入口の両側または片側に備える支持棒によりシャッター部を下から支持する態様が好ましい。また、収容部は、シャッター部を移動するための複数の台車を備える態様が好ましい。
【００１２】
本発明のシャッター装置は、下側パネルが線状体を有し、収容部が、輪状にした幅広のベルトを台車上に配置し、線状体と同じ速度で移動するベルトによりシャッター部を移動するベルトコンベアを有する態様が好ましい。建物の出入口を開放するときは、線状体で下側パネルを引き上げることにより、他方のパネルを一方のパネルの内部に収容する。つぎに、線状体でシャッター部をさらに引き上げることにより、シャッター部をベルトコンベアのベルト上に移動する。その後、ベルト上のシャッター部を建物内の後方に向かって移動することにより、シャッター部を収容部に収容する。
【００１３】
建物の出入口を閉鎖するときは、ベルトコンベア上のシャッター部を収容部の前方に移動する。つぎに、ベルトと線状体とを移動することにより、収容部の前方からシャッター部を降下しながら、側面視Ｃ文字状またはＪ文字状の部材にシャッター部を吊り下げる。その後、線状体で支持する下側パネルを降下しながら、下側パネルの両側縁部を建物の出入口の両側にある案内溝内に挿嵌し、下側パネルを接地する。ベルトコンベアは、吊り下げ部における側面視Ｃ文字状またはＪ文字状の部材に隣接する台車と、この台車上でベルトが斜め後方に走行するように、この台車に隣接して補助台車を備える態様が好ましい。
【発明の効果】
【００１４】
本発明のシャッター装置は、シャッター部の表面に精細な図形や文字を簡単に表現することができ、宣伝広告機能が大きい。また、構造が簡単で、強度が大きく、軽量化が容易である。
【図面の簡単な説明】
【００１５】
【図１】本発明のシャッター装置の構成を示す模式図である。
【図２】建物の出入口を開放し、または閉鎖するときの本発明のシャッター装置の操作方法を示す図である。
【図３】従来のシャッター装置の正面図である。
【図４】本発明のシャッター装置の他の構成態様を示す模式図である。
【図５】上側パネルにおける水平軸と、吊り下げ部におけるＣ文字状またはＪ文字状の部材との配置を示す部分拡大図である。
【図６】本発明のシャッター装置において、収容部が、シャッター部を移動するための複数の台車を有する態様を示す模式図である。
【図７】建物の出入口を開放し、または閉鎖するときの本発明のシャッター装置の駆動による操作方法を示す工程図である。
【図８】本発明のシャッター装置において、案内溝が内部にロールを有する態様を示す断面図である。
【発明を実施するための形態】
【００１６】
図１は、本発明のシャッター装置の構成を示す模式図である。本発明のシャッター装置は、図１に示すように、建物の出入口１０を開放し、または閉鎖するシャッター部１を有する。図１は、建物の出入口１０をシャッター部１により閉鎖している態様を例示する。また、シャッター装置は、シャッター部１を吊り下げる吊り下げ部２を備える。吊り下げ部２は、側面視Ｃ文字状またはＪ文字状の部材２ａを、出入口１０の両側の上部に有し、側面視Ｃ文字状またはＪ文字状の部材２ａにおいて、シャッター部１を吊り下げる。
【００１７】
図１に示す例では、吊り下げ部２は、側面視Ｃ文字状の部材２ａを有する。図１は、シャッター装置を一方の側面から見たときの模式図であり、同じシャッター装置であっても、反対の側面から見ると、部材２ａは、Ｃ文字を裏返した形状に見える。本明細書においては、これらの態様をＣ文字状と表示する。Ｊ文字状についても同様である。また、図１に示すように、このシャッター装置は、側面視Ｃ文字状またはＪ文字状の部材２ａの後方にあって、シャッター部１を建物内に収容する収容部３を備える。
【００１８】
シャッター部１は、上側パネル１ａと下側パネル１ｂの２枚のパネルからなる。また、上側パネル１ａは、上部に、吊り下げ部２により軸支する水平軸１ａ１を有し、一方のパネルは、一方のパネルの内部に他方のパネルを摺動自在に嵌合する箱形状である。図１に示す例では、上側パネル１ａが、その内部に下側パネル１ｂを摺動自在に嵌合する箱形状である。図４は、本発明のシャッター装置の他の構成態様を示す模式図である。図４に示す例では、下側パネル１ｂが、その内部に上側パネル１ａを摺動自在に嵌合する箱形状である。シャッター部１の上側パネル１ａと下側パネル１ｂは、吊り下げ部２に吊り下げた状態で側面視矩形状、すなわち長方形または正方形である。吊り下げ部２は、図１に示すように収容部３の奥まで配置する態様のものも使用でき、図４に示すように、収容部３の途中まで配置する態様のものも使用することができる。
【００１９】
シャッター部１が２枚のパネルからなるため、シャッター部１の表面が平坦である。したがって、横長矩形状の複数のパネルを係合する従来のシャッター部と比べ、シャッター部１の表面に精細な模様や文字を容易に表現できるから、シャッター部１を降ろし、建物の出入口１０を閉鎖したときに、シャッター部１の宣伝広告機能を高めることができる。また、従来のシャッター装置に比べ、シャッター部１の構造が簡単であり、強度が大きいため、シャッター部１の軽量化を図ることができ、シャッター部１の操作性を高め、移動をスピーディに行うことができると共にコストを低減することができる。
【００２０】
シャッター部１は、たとえば、アルミ、スチール、ステンレス、木材、透明なポリカーボネート等の合成樹脂により形成することができる。パネルを透明な合成樹脂で形成すると、建物内の照度を高める点で好ましく、特に、上側パネル１ａに透明な材料を使用すると効果的である。また、シャッター部１は、必要に応じて２種以上の材料により形成することができる。たとえば、パネルの表面を合成樹脂製とし、フレームをスチール製とすることができる。
【００２１】
出入口１０を閉鎖したときに、シャッター部１を開けなくても人の出入りが可能となる点で、シャッター部１が扉を有する態様が好ましい。シャッター部１に扉を設ける場合、人が出入りしやすいように、扉は下側パネル１ｂに形成する態様が好ましく、下側パネル１ｂに扉を形成するときは、扉の構造を簡単にできる点で、下側パネル１ｂが一重構造である態様が好ましい。したがって、シャッター部１に扉を形成するときは、図１に示すように、上側パネル１ａが、その内部に下側パネル１ｂを摺動自在に嵌合する箱形状とする態様が好ましい。
【００２２】
一方、出入口１０を閉鎖したときに、ステンレス等の不透明な材料で形成したパネルであっても、採光により建物内の明るさを保持することができる点で、シャッター部１が窓を有する態様が好ましい。シャッター部１に窓を設ける場合、採光の効率が高まるように、窓は上側パネル１ａに形成する態様が好ましく、上側パネル１ａに窓を形成するときは、窓の構造を簡単にできる点で、上側パネル１ａが一重構造である態様が好ましい。したがって、シャッター部１に窓を形成するときは、図４に示すように、下側パネル１ｂが、その内部に上側パネル１ａを摺動自在に収容する箱形状とする態様が好ましい。
【００２３】
建物の出入口上でシャッター部が庇となるように、側面視Ｃ文字状またはＪ文字状の部材によりシャッター部の水平軸を保持し、出入口の両側または片側に備える支持棒によりシャッター部を下から支持する態様が好ましい。かかる態様は、シャッター部が庇となることにより、雨天時には建物内に雨が降り込むのを防止し、また晴天時には直射日光を庇により遮ることができる。支持棒の下端は、出入口に可動自在に取り付け、または出入口から取り外し可能に設置することができるが、シャッター部の収容工程に支障が生じないように、支持棒の上端は、シャッター部から取り外し可能とする態様が好ましい。支持棒の下端は、シャッター部の重量等の仕様に合わせて、出入口の下端に設置することができ、出入口の両側または片側の途中に設置することもできる。また、庇とした後、必要に応じて、下側パネルを引き出すことにより庇効果を高めることができる。
【００２４】
図１と図４に示すように、建物の出入口の両側には、案内溝４が形成され、案内溝４は下側パネル１ｂを上下方向に案内し、下側パネル１ｂを降下しながら、案内溝４内に下側パネル１ｂの両側縁部を挿嵌する。図１と図４には、下側パネル１ｂの側縁部を案内溝４に挿嵌する態様を例示する。案内溝４内に下側パネル１ｂを挿入し、嵌め込んでいるため、案内溝内に下側パネルを容易に挿入することができ、案内溝内から下側パネルを容易に取り出すことができる。また、下側パネル１ｂの両側縁部を案内溝４内に挿嵌するため、建物の出入口１０を閉鎖したとき、案内溝４により下側パネル１ｂの水平方向の動きが抑止され、シャッター装置が堅牢化する。
【００２５】
図８は、本発明のシャッター装置において、案内溝が内部にロールを有する態様を示す断面図である。図８に示す例では、案内溝４は内部にロール４ｂを備え、下側パネル１ｂを降下し、案内溝４内に挿嵌すると、下側パネル１ｂはロール４ｂにより上下方向に案内され、下側パネル１ｂの表面を両側からロール４ｂが保持する。したがって、下側パネル１ｂを案内溝内に挿入し、ロール４ｂの間に嵌め込むことにより、ロール４ｂにより下側パネル１ｂの水平方向の動きを抑止するため、シャッター装置が堅牢化する。また、ロール４ｂにより下側パネルの上昇および降下がスムーズになり、発生する騒音の減少に効果的であり、深夜でも気兼ねなくシャッター装置を使用できる。
【００２６】
図８に示すロール４ｂは、円盤または筒状のローラーを支持脚（図示していない。）により軸支したものである。円盤またはローラーは、下側パネル１ｂの表面を保護する点で、表面がナイロン等のプラスティックであるものを好ましく使用することができる。図１と図８に示すように、案内溝４は、下側パネル１ｂの挿入を容易にする点で、上縁部分４ａが外側に開いている態様が好ましい。一方、下側パネル１ｂと案内溝４を固定するための鍵等の固定具（図示していない。）を設けると、出入口の閉鎖時に下側パネル１ｂを上下方向において固定することができる。
【００２７】
図２は、建物の出入口を開放し、または閉鎖するときの本発明のシャッター装置の操作方法を示す図である。図２は、上側パネル１ａが、その内部に下側パネル１ｂを摺動自在に嵌合する箱形状である態様、すなわち図１に示す態様を例にして説明しているが、下側パネル１ｂが、その内部に上側パネル１ａを摺動自在に嵌合する箱形状である態様、すなわち図４に示す態様についても同様である。
【００２８】
建物の出入口を開放するときは、図２（ａ）に示すように、下側パネル１ｂを矢印Ａの方向に引き上げることにより、下側パネル１ｂを上側パネル１ａ内に収容する。この操作により、図２（ｂ）に示すように、他方のパネルは、箱形状の一方のパネルの内部に収容される。一方のパネルと他方のパネルとは摺動自在であるため、収容を容易に行うことができる。図２（ｂ）に示すように、上側パネル１ａが箱形状であり、下側パネル１ｂを上側パネル１ａ内に収容する態様においては、下側パネル１ｂを上側パネル１ａより長くすることにより、収容後、上側パネル１ａの外側に下側パネル１ｂの先端が突き出すように設計すると、図２（ｃ）に示す次工程で、シャッター部１の引き上げ操作が容易化し、また出入口を閉鎖するときに、上側パネル１ａから下側パネル１ｂを引き出す操作が容易となる点で好ましい。
【００２９】
つぎに、図２（ｃ）に示すように、シャッター部１を矢印Ｂの方向に引き上げ、さらにシャッター部１を矢印Ｃの方向に引き上げると、上側パネル１ａの水平軸１ａ１が側面視Ｃ文字状の部材２ａから離脱する。その後、図２（ｄ）に示すように、シャッター部１を建物内の後方に向かって、矢印Ｄの方向に移動することにより、シャッター部１を収容部３に収容する。シャッター部１の収容後、収容部３の前面３ａに付設する蓋部（図示していない。）を閉じることにより、収容したシャッター部１が地震等により不用意に収容部３から飛び出すことを防止することができる。また、収容部３が外部から見えなくすることにより、建物の体裁を整えることができる。かかる一連の操作方法により、出入口１０を開放することができる。
【００３０】
建物の出入口１０を閉鎖するときは、収容部３の前面３ａに蓋部（図示していない。）を設けているときは、蓋部を開いた後、図２（ｄ）に示すように、シャッター部１を収容部３の前方に向かって、矢印Ｅの方向に移動する。かかる操作において、箱形状の上側パネル１ａの先端部１ａ２にロープまたはワイヤー等の線状体（図示していない。）を形成しておくと、シャッター部１の移動が容易になる点で好ましい。つぎに、図２（ｃ）に示すように、シャッター部１を収容部３の前方から矢印Ｆの方向に降下しながら、上側パネル１ａの水平軸１ａ１を、吊り下げ部２における側面視Ｃ文字状の部材２ａに軸支すると、図２（ｂ）に示すように、側面視Ｃ文字状の部材２ａにシャッター部１を吊り下げることができる。
【００３１】
その後、図２（ａ）に示すように、下側パネル１ｂを降下しながら、建物の出入口１０の両側に形成した案内溝４であって、下側パネル１ｂを上下方向に案内する案内溝４内に下側パネル１ｂの両側縁部を挿嵌し、下側パネル１ｂを接地する。かかる一連の操作により、出入口１０を閉鎖することができる。図２（ｃ）に示すように、シャッター部１を矢印Ｆの方向に降下し、図２（ｂ）に示すように、側面視Ｃ文字状の部材２ａにシャッター部１を吊り下げるとき、シャッター部１の下部が当接する位置であって、建物の出入口の両側に緩衝具６を備えると、シャッター部１の余分な回転を抑え、操作性を高めることができる点で好ましい。
【００３２】
本発明のシャッター装置においては、下側パネル１ｂが接地したときに、一方のパネル内に他方のパネルの一部が嵌合することにより、下側パネル１ｂで上側パネル１ａの水平方向の動きを抑止する。図１に示す例では、上側パネル１ａ内に下側パネル１ｂの一部が嵌合する。上側パネル１ａと、上側パネル１ａ内にある下側パネル１ｂとの間の隙間の大小によっても異なるが、下側パネル１ｂにより上側パネル１ａの水平方向の動きを効果的に抑止する点で、下側パネル１ｂの接地時に、上側パネル１ａ内にある下側パネル１ｂの長さは、通常、５ｃｍ以上が好ましく、８ｃｍ以上がより好ましく、１２ｃｍ以上が特に好ましい。一方、嵌合する下側パネル１ｂの長さが長いと、シャッター部全体の重量が大きくなり、操作性が低下するため、上側パネル１ａ内にある下側パネル１ｂの長さは、通常、２５ｃｍ以下が好ましく、２０ｃｍ以下がより好ましい。
【００３３】
図４に示す例では、下側パネル１ｂ内に上側パネル１ａの一部が嵌合する。下側パネル１ｂと、下側パネル１ｂ内にある上側パネル１ａとの間の隙間の大小によっても異なるが、下側パネル１ｂにより上側パネル１ａの水平方向の動きを効果的に抑止する点で、下側パネル１ｂの接地時に、下側パネル１ｂ内にある上側パネル１ａの長さは、通常、５ｃｍ以上が好ましく、８ｃｍ以上がより好ましく、１２ｃｍ以上が特に好ましい。一方、嵌合する上側パネル１ａの長さが長いと、シャッター部全体の重量が大きくなり、操作性が低下するため、下側パネル１ｂ内にある上側パネル１ａの長さは、通常、２５ｃｍ以下が好ましく、２０ｃｍ以下がより好ましい。
【００３４】
本発明のシャッター装置は、シャッター部が２枚のパネルからなり、一方のパネルが、その内部に他方のパネルを嵌合する箱形状である。このため、たとえば、一方のパネルの両端縁部にのみ上下方向に案内溝を形成し、案内溝内に他方のパネルの両側縁部を通し、一方のパネルの案内溝内で他方のパネルをスライドする構造のシャッター装置に比べて、つぎに示す利点を有する。すなわち、本発明のシャッター装置では、２枚のパネルの重複領域においては、箱形状のパネルの全面で内部のパネルの全面を保持し、３層構造でシャッター部を支持するため、シャッター部を堅牢化でき、各パネルの板厚を薄くすることができ、パネルの軽量化により、シャッターの操作性を高めることができる。また、同様の理由により、水平方向の荷重に対する反りを効果的に抑えることができる。
【００３５】
図５は、上側パネルにおける水平軸と、吊り下げ部におけるＣ文字状またはＪ文字状の部材との配置を示す部分拡大図であり、シャッター部を吊り下げ部に吊り下げた状態を表す。また、図５では、上側パネル１ａが箱形状であり、上側パネル１ａの内部に下側パネル１ｂを収容する態様を例に挙げて説明するが、下側パネル１ｂが箱形状であり、下側パネル１ｂの内部に上側パネル１ａを収容する態様についても同様である。図５（ａ）に示す例では、側面視Ｃ文字状の部材２ａにより、上側パネル１ａの水平軸１ａ１を軸支する。部材２ａが、側面視Ｃ文字状であるため、建物の出入口を閉鎖するとき、シャッター部の吊り下げ部２への吊り下げ操作を容易にすることができる。
【００３６】
部材２ａは、部材２ａ内への水平軸１ａ１の受け入れを容易にする点で、案内部２ａ１を有する態様が好ましい。また、建物の出入口の閉鎖時に、上側パネル１ａの鉛直方向の自由な動きを抑制し、防犯効果を高める点で、部材２ａは、水平軸１ａ１の頂上部を被うように、部分２ａ２を有する態様が好適である。かかる観点から、隙間ｄ２は、３０ｍｍ以下が好ましく、２０ｍｍ以下がより好ましい。部材２ａは、水平軸１ａ１を水平方向に安定して保持する点で、深さｄ１の凹部２ａ３を有する態様が好ましい。
【００３７】
ｄ１は、水平軸１ａ１の直径によっても異なるが、水平軸１ａ１を水平方向に安定して保持する点で、５ｍｍ以上が好ましく、１０ｍｍ以上がより好ましい。また、シャッター部１の収容部３への移動を容易にする点で、ｄ１は３０ｍｍ以下が好ましく、２０ｍｍ以下がより好ましい。一方、深さｄ１の凹部２ａ３を形成するときは、水平軸１ａ１の矢印Ｄ方向と矢印Ｅ方向の出入を容易にする点で、隙間ｄ２を設ける態様が好ましい。かかる観点から、ｄ２は、５ｍｍ以上が好ましく、１０ｍｍ以上がより好ましい。
【００３８】
図５（ｂ）に示す例では、側面視Ｊ文字状の部材２ａにより、上側パネル１ａの水平軸１ａ１を軸支する。部材２ａを側面視Ｊ文字状とすることにより、建物の出入口を閉鎖するとき、シャッター部の吊り下げ部２への吊り下げ操作を平易にすることができる。部材２ａが、案内部２ａ１を有することで、部材２ａ内への水平軸１ａ１の受け入れを容易にすることができる。また、部材２ａは、水平軸１ａ１の頂上部を被うように部分２ａ２を形成することにより、防犯効果を高めることができる。さらに、部材２ａは、深さｄ１の凹部２ａ３を形成することで、水平軸１ａ１を水平方向に安定して保持する。一方、深さｄ１の凹部を有するため、水平軸１ａ１の矢印Ｄ方向と矢印Ｅ方向の出入を容易にする点で、隙間ｄ２を設ける態様が好ましい。ｄ１とｄ２の好ましい長さは図５（ａ）の場合と同様である。
【００３９】
図５（ｃ）に示す例では、側面視Ｃ文字状の部材２ａにより、上側パネル１ａの水平軸１ａ１を軸支するが、図５（ａ）に示す例と異なり、深さｄ１の凹部２ａ３を有しない。したがって、水平軸１ａ１の矢印Ｄ方向と矢印Ｅ方向の移動が容易となり、図５（ａ）と図５（ｂ）における隙間ｄ２と比較し、図５（ｃ）における隙間ｄ３を狭く設計できる。このため、上側パネル１ａの鉛直方向の自由な動きを一層効果的に抑止できる。鉛直方向の動きを効果的に抑止する点で、ｄ３は１０ｍｍ以下が好ましく、５ｍｍ以下がより好ましい。
【００４０】
一方、深さｄ１の凹部を形成していないため、上側パネル１ａの上部を水平方向に安定して保持する点で、停止具５を設ける態様が好ましい。図５（ｃ）に示すように、出入口の閉鎖時に、上側パネル１ａの上部が建物の後方、すなわち矢印Ｄの方向に不用意に移動しないように停止させる停止具５を備える態様が好ましい。図５（ａ）と図５（ｂ）に示す例においても、出入口の閉鎖時に上側パネル１ａの上部が建物の後方に移動しないように停止具５を形成する態様が好ましい。停止具５は、建物の出入口の両側または、吊り下げ部２もしくは収容部３等に形成することができる。これらの点は、Ｊ文字状の部材２ａを有する図５（ｂ）に示す例においても同様に当てはまる。案内部２ａ１と部分２ａ２については、図５（ａ）と同様である。
【００４１】
図６は、本発明のシャッター装置において、収容部が、シャッター部を移動するための複数の台車を有する態様を示す模式図である。図６（ａ）に示すように、収容部３が複数の台車７を有するときは、シャッター部１を矢印Ｂの方向に引き上げた後、シャッター部１を建物内の後方に向かって矢印Ｄの方向に移動する収容工程を容易にできる点で好ましい。また、出入口を開放するときにおいても、シャッター部１を収容部３の前方へ移動する工程、すなわち矢印Ｅの方向に移動する工程を容易にできる点で好ましい。台車７は、円盤を支持脚（図示していない。）により軸支したものを使用することができる。また、円盤の代わりに筒状のローラーも好ましく使用することができる。円盤またはローラーは、シャッター部１の表面を保護する点で、表面がプラスティック製のものを好ましい。
【００４２】
図６（ｂ）は、収容部３がベルトコンベアを有する例を示し、輪状にした幅広のベルト８を台車７上に配置し、駆動部（図示していない。）により、ベルト８上のシャッター部１を移動する。このため、シャッター部１の収容部３への収容と、収容部３からの排出を一層容易化でき、また遠隔操作も可能となる。台車７上に配置するベルト８は、ゴム等のエラストマー、プラスティック、フェルト、エラストマーと繊維とからなる複合素材が、運搬するシャッター部の表面を保護する点で好適である。
【００４３】
図６（ｃ）は、収容部３がベルトコンベアを有する他の態様を示す。図６（ｃ）に示す例では、吊り下げ部２における側面視Ｃ文字状の部材２ａに隣接する台車７ａと、台車７ａ上でベルト８が斜め後方に走行するように、台車７ａに隣接して補助台車７ｂを備える。ここに、後方とは、矢印Ｄの方向を指す。本発明のシャッター装置は、平面視矩形状のパネルからなるシャッター部１を運搬する。このため、側面視Ｃ文字状の部材２ａに隣接する台車７ａ上でベルト８が斜め後方に走行することにより、平面視矩形状のシャッター部１の上端を、斜め後方に走行するベルト８上に置くことにより、シャッター部１を容易に収容することができる。また、シャッター部１を収容部から排出するときにも、斜めに走行するベルト８上からシャッター部１を容易に取り出すことができる。図６（ｃ）においては、部材２ａが側面視Ｃ文字状である態様を示すが、部材２ａが側面視Ｊ文字状である態様においても同様である。
【００４４】
図７は、建物の出入口を開放し、または閉鎖するときの本発明のシャッター装置の駆動による操作方法を示す工程図である。図７は、上側パネル１ａが、その内部に下側パネル１ｂを摺動自在に嵌合する箱形状である態様、すなわち図１に示す態様を例にして説明している。しかし、下側パネル１ｂが、その内部に上側パネル１ａを摺動自在に嵌合する箱形状である態様、すなわち図４に示す態様についても同様である。図７に示す例では、下側パネル１ｂは、ワイヤーまたはロープ等の線状体９を有する。一方、収容部３は、輪状にした幅広のベルト８を台車７上に配置し、駆動部７ｃによりベルト８上のシャッター部１を移動するベルトコンベアを備える。ベルトコンベアの稼働時には、ベルト８は、線状体９と同じ速度で移動する。
【００４５】
建物の出入口１０を開放するときは、図７（ａ）に示すように、線状体９で下側パネル１ｂを矢印Ａの方向に引き上げることにより、他方のパネルを一方のパネルの内部に収容する。図７（ａ）には、駆動部９ｂにより巻取りロール９ａを回転して線状体９を巻取り、下側パネル１ｂを引き上げる態様を例示する。図７（ｂ）は、他方のパネルを一方のパネルの内部に収容した状態を示す。収容後、図７（ｃ）に示すように、線状体９でシャッター部１をさらに引き上げることにより、シャッター部１は矢印Ｂの方向に回転しながら、矢印Ｃの方向に移動し、上側パネル１ａの水平軸１ａ１が側面視Ｃ文字状の部材２ａから離脱し、シャッター部１はベルトコンベアのベルト８上に移動する。
【００４６】
その後、ベルト８上のシャッター部１を建物内の後方に向かって、矢印Ｄの方向に移動することにより、図７（ｄ）に示すように、シャッター部１を収容部３に収容する。ベルト８上のシャッター部１の移動は、ベルト８の移動のみにより行うことができる。また、ベルト８と線状体９の双方を使用することにより行うこともできる。シャッター部１の収容後、線状体９を固定することにより、収容したシャッター部１が不用意に収容部３から飛び出すトラブルを防止できる。また、必要に応じて、収容部３の前面３ａに付設する蓋部（図示していない。）を閉じる。かかる一連の操作により出入口１０を開放することができる。
【００４７】
建物の出入口１０を閉鎖するときは、必要により、収容部３の前面３ａの蓋部を開き、図７（ｄ）に示すように、ベルトコンベア上のシャッター部１を収容部３の前方に向かって、矢印Ｅの方向に移動する。シャッター部１の移動は、ベルト８と線状体９を、シャッター部１の収容時と反対の方向に移動することにより行う。つぎに、図７（ｃ）に示すように、ベルト８と線状体９を移動することにより、収容部３の前方からシャッター部１を矢印Ｆの方向に降下する。シャッター部１を降下しながら、上側パネル１ａの水平軸１ａ１を、吊り下げ部２における側面視Ｃ文字状の部材２ａに軸支し、図７（ｂ）に示すように、側面視Ｃ文字状の部材にシャッター部１を吊り下げる。
【００４８】
その後、図７（ａ）に示すように、線状体９で支持する下側パネル１ｂを降下しながら、建物の出入口１０の両側にある案内溝４内に、下側パネル１ｂの両側縁部を挿嵌し、下側パネル１ｂを接地する。シャッター部１を吊り下げ部２に吊り下げた後、図７（ａ）に示す操作をするときは、ベルト８を停止し、線状体９のみにより行うことができる。かかる一連の操作により、出入口１０を閉鎖する。図７（ｃ）に示すように、シャッター部１を矢印Ｆの方向に降下し、図７（ｂ）に示すように、シャッター部１を吊り下げるときに、シャッター部１の下部が当接する位置に緩衝具６を備えると、シャッター部１の余分な回転を抑え、操作性が高まる点で好ましい。
【００４９】
図７では、収容部３がベルトコンベアを有し、使用するベルトコンベアとしては、図６（ｂ）に示すタイプであるが、図６（ｃ）に示すタイプのベルトコンベアを使用することもできる。図６（ｃ）に示すベルトコンベアは、吊り下げ部２における側面視Ｃ文字状の部材２ａに隣接する台車７ａと、台車７ａ上でベルト８が斜め方向であって、矢印Ｄに示す後方に走行するように、台車７ａに隣接して補助台車７ｂを備える。このため、図６（ｂ）に示すベルトコンベアを使用する場合と比較して、出入口の開放時および閉鎖時のいずれにおいて、つぎに示す利点を有する。
【００５０】
すなわち、シャッター部１を線状体で引き上げることにより、シャッター部１をベルト８上に移動し、収容部３に収容する工程において、シャッター部１の動きがゆっくりとスムーズなものとなる。このため、収容作業が静かになり、台車７ａおよび線状体の強度的な負担を軽減することができる。同様に、ベルト８上のシャッター部１を収容部の前方に移動し、ベルト８と線状体を移動することにより、収容部３の前方からシャッター部１を降下する工程においても、シャッター部１の動きを穏やかにし、スムーズなものにする。このため、収容作業が静かになり、台車７ａおよび線状体の強度的な負担を軽減することができる。吊り下げ部２が、Ｊ文字状の部材を有する場合においても同様である。
【００５１】
図７に示すように、シャッター装置が制御手段１１を備える態様が好ましい。制御手段１１は、ＣＰＵを有するマイクロコンピューターを備えるものが好ましく、たとえば建物の出入口１０近くの壁面に設置する。制御手段１１の入力側には、図７（ａ）に示すように、接地センサー１１ａを接続し、図７（ｄ）に示すように、収容完了センサー１１ｂを接続し、接地センサー１１ａと収容完了センサー１１ｂにおける信号を制御手段１１に、逐次入力する。また、制御手段１１の出力側には、図７（ａ）と図７（ｄ）に示すように、ベルトコンベアにおけるベルト８の駆動部７ｃと、線状体９の巻取りロール９ａを駆動する駆動部９ｂを接続し、駆動部７ｃと駆動部９ｂに信号を出力する。
【００５２】
建物の出入口を開放するときは、図７（ａ）に示すように、制御手段１１において出入口１０の開放を指示する。開放の指示により、制御手段１１は駆動部７ｃと駆動部９ｂに開放の信号を出力し、信号を受け取った駆動部７ｃは、予めメモリーに記憶しているプログラムにより、動輪７ｄを駆動し、ベルト８の移動を開始する。また、開放の信号を受け取った駆動部９ｂは、予めメモリーに記憶しているプログラムに従って巻取りロール９ａを駆動し、線状体９の牽引を開始する。制御手段１１における出入口開放の指示は、制御手段１１のボタン操作により行うことができる。また、たとえば、自宅に近付いた車の中からのリモコン操作により、出入口開放の指示を出すこともできる。車内からの合図により、ガレージの出入口を開放できると、雨や雪が降っている等の悪天候のときに、特に重宝である。
【００５３】
図７（ｂ）と図７（ｃ）の過程を経て、図７（ｄ）に示すように、シャッター部１の収容が完了すると、収容完了センサー１１ｂから収容完了の信号が制御手段１１へ入力する。収容完了センサー１１ｂには、たとえば光電装置を使用し、センサーが照射する光をシャッター装置１の先端が遮ると、収容完了の電気信号を制御手段１１に伝達するようにプログラムする。収容完了の信号が入力すると、制御手段１１は、メモリーに記憶しているプログラムにより、駆動部７ｃと駆動部９ｂに対して駆動停止の信号を出力する。駆動部７ｃと駆動部９ｂは、同様に予め記憶しているプログラムに従って駆動を停止する。
【００５４】
建物の出入口を閉鎖するときは、図７（ｄ）に示すように、制御手段１１において出入口１０の閉鎖を指示する。閉鎖の指示により、制御手段１１は駆動部７ｃと駆動部９ｂに閉鎖の信号を出力し、信号を受け取った駆動部７ｃは、記憶しているプログラムにより、動輪７ｄを駆動し、ベルト８の移動を開始する。閉鎖の信号を受け取ったときは、開放の信号を受け取ったときと反対の方向に駆動する。駆動部９ｂも同様にして、巻取りロール９ａを反対の方向に駆動し、線状体９の巻出しを開始する。制御手段１１における出入口閉鎖の指示は、開放の場合と同様であり、制御手段１１のボタン操作により行うことができ、リモコン操作により行うこともできる。リモコン操作によるときは、車内から閉鎖の指示を出せるため、悪天候のときに好適である。
【００５５】
図７（ｃ）と図７（ｂ）の過程を経て、図７（ａ）に示すように、下側パネル１ｂが接地すると、接地センサー１１ａから接地した旨の信号を制御手段１１へ入力する。接地センサー１１ａには、たとえば光電装置を使用し、センサーが照射する光を下側パネル１ｂの下端が遮ると、接地した旨の電気信号を制御手段１１に伝達するようにプログラムする。接地の信号が入力すると、制御手段１１は、メモリーに記憶しているプログラムにより、駆動部７ｃと駆動部９ｂに対して駆動停止の信号を出力する。駆動部７ｃと駆動部９ｂは、同様に予め記憶しているプログラムに従って駆動を停止する。
【００５６】
制御手段１１のメモリーに予め記憶させるプログラムを追加または修正することにより、種々の操作が可能である。たとえば、シャッター部１の降下中に接地センサー１１ａが作動すると、制御手段１１は、シャッター部１の下方に人または障害物があると判断し、駆動を停止し、または駆動を反転してシャッター部１を収容するように操作することができる。また、図７には示していないが、シャッター部に負荷センサーを設置し、プログラムを追加することにより、つぎの操作をすることができる。すなわち、シャッター部の降下中に、シャッター部の負荷が増大したときは、障害物に接触したと判断し、負荷センサーからの情報により駆動を停止し、または駆動を反転してシャッター部を安全に収容するように操作することができる。さらに、シャッター部を収容部に収容する過程、またはシャッター部を収容部の前方に移動する過程で、シャッター部の移動を停止することにより、シャッター部を庇として利用することができ、雨や直射日光を遮ることができる。
【産業上の利用可能性】
【００５７】
シャッター部の表面に精細な図形や文字を表現することができ、宣伝広告機能が大きいシャッター装置を提供することができる。このシャッター装置は、構造が簡単で、強度が大きく、軽量化が容易である。
【符号の説明】
【００５８】
１  シャッター部
１ａ  上側パネル
１ａ１  水平軸
１ｂ  下側パネル
２  吊り下げ部
２ａ  側面視Ｃ文字状またはＪ文字状の部材
３  収容部
４  案内溝
４ｂ  ロール
５  停止具
６  緩衝具
７  台車
８  ベルト
９  線状体
１０  出入口
１１  制御手段
１１ａ  接地センサー
１１ｂ  収容完了センサー
３０  シャッター装置
３１  シャッター部
３１ａ  パネル
３１ｂ  座板
３２  収容部
３２ａ  巻始め車
３２ｂ  軸受部
３２ｃ  シャフト部
３２ｄ  スプリング部
３３  案内溝
【図１】
2013064259.tif 000003
【図２】
2013064259.tif 000004
【図３】
2013064259.tif 000005
【図４】
2013064259.tif 000006
【図５】
2013064259.tif 000007
【図６】
2013064259.tif 000008
【図７】
2013064259.tif 000009
【図８】
2013064259.tif 000010